(57)【要約】【課題】消火器の表示板以外に補助表示板を設けることにより、火災発生など非常時における消火器の設置箇所の視認性をより一層良好にする。【解決手段】表示板の下方部に、上記左右一対の支柱間に架け渡し固定が可能な補助表示板を設けてなる。これにより消火器の点検や故障時など非日常的な作業をおこなう際に容易に確認できるように、例えば消火器の管理や連絡先などの補助的事項を記載でき、しかもこの補助表示板が消火器設置時には正面側からは殆ど見えない位置に取り付けた場合においては煩雑性がなく、専ら大きな「消火器」の文字を主体とし、せいぜいその操作方法の記載のみが目視されるところから、火災発生など非常事態の発生に伴う混乱に際しても消火器の存在が速やかに視認可能となる。【選択図】図１
0003129042.tif 000002
【実用新案登録請求の範囲】
【請求項１】
消火器を載せる台座部と、該台座部の後方端部より相互に一定の間隔を介して垂直に立設させ、しかも上端に少なくとも消火器の文字を書き表した表示板を架け渡してなる左右一対の支柱とからなる設置具において、表示板の下方部に、上記左右一対の支柱間に架け渡し固定が可能な１枚または複数枚の補助表示板を設けてなる消火器設置装置。
【請求項２】
表示板下方部の左右一対の支柱間に架け渡し固定される補助表示板の少なくとも１枚が、消火器設置時には消火器の陰となる位置に設けられるようにした請求項１に記載の消火器設置装置。
【請求項３】
補助表示板には左右の支柱に対応する位置に、支柱に対してそれぞれ固定可能な圧着挟持具が取り付けられているところの請求項１又は請求項２に記載の消火器設置装置。
【請求項４】
左右の支柱間に取り付けられる補助表示板の中央部には、上方又は下方に向けて消火器背面の架け金具に係着可能な突起部が設けられているところの請求項１〜３のいずれか１に記載の消火器設置装置。
【請求項５】
支柱に対してそれぞれ固定可能な圧着挟持具が取り付けられた補助表示板を、圧着挟持具取り付け側を消火器に対面させた状態で、左右一対の支柱の後方から左右の圧着挟持具を支柱に圧入させ上記圧着挟持具を左右の支柱にそれぞれ圧着挟持させるようにしたものである請求項１〜４のいづれか１に記載の消火器設置装置。
【考案の詳細な説明】
【技術分野】
【０００１】
本考案は、消火器を設置するために用いる台座付きの設置装置に関し、通常は消火器の陰に隠れていて、主に上端の消火器の文字が表示された表示板のみが看者に目立ち、消火器の点検や故障時など非日常的な作業をおこなう際に容易に確認できるように、例えば消火器の管理や連絡先などの補助的事項を記載した補助表示板を、上記した表示板とは別に設けることによって、機能性をより一層向上させることを目的とする。
【０００２】
また本考案は、上記の補助表示板に突起部形成して、これを消火器の架け金具に係合させることによって、台座上に設置した消火器が地震や衝撃により容易に転倒しないようにすることを目的とする。
【背景技術】
【０００３】
従来汎用されてきた消火器の設置器具は、例えば平面角形の中央に消火器を載せるためのすり鉢状の円形受載面を凹設し、しかもこの受台の後方にポール立設用穴を形成した樹脂製の受台と、上記ポール立設用穴に挿脱自在に立設したところの、上方部に樹脂製表示ボードを備えた樹脂製ポールとからなるもの（特開２００５−４０３６４号公報参照）などが一般的に知られている。
【特許文献１】特開２００５−４０３６４号公報
【考案の開示】
【考案が解決しようとする課題】
【０００４】
しかしながら、上記した従来汎用の設置器具にあっては、ポールの上方部に取り付けられた表示ボードの表面に、火災発生等非常時において消火器の存在が容易に視認できるように大きく「消火器」の文字が表記されており、またこの「消火器」の文字以外には、せいぜい消火器の使用法が比較的小文字にて書き表されている程度である。
【０００５】
その理由は、「消火器」の表記以外に多くの文字を記載すると全体表示がかえって煩わしくなって、「消火器」の文字表記の存在が希薄になり、非常時の混乱に際して現場で消火器を見出すことが困難となりがちであるからである。
【課題を解決するための手段】
【０００６】
そこで本考案は、上記した課題を解決し、火災発生などの非常時において、現場での消火器発見が容易となるように、設置台の表示板には殆ど大文字の「消火器」の表記だけにとどめ、それ以外の記載事項については表示板とは別枠の表示具によって表示するようにし、また場合によっては消火器の設置時には隠れて見えないようにし、あるいは台座上に設置した消火器が地震や衝撃により容易に転倒しないようにしたものである。
【０００７】
すなわち具体的には本考案は、消火器を載せる台座部と、該台座部の後方端部より相互に一定の間隔を介して垂直に立設させ、しかも上端に少なくとも消火器の文字を書き表した表示板を架け渡してなる左右一対の支柱とからなる設置具において、表示板の下方部に、上記左右一対の支柱間に架け渡し固定が可能な１枚または複数枚の補助表示板を設けてなる消火器設置装置に関する。
【０００８】
また本考案は、表示板下方部の左右一対の支柱間に架け渡し固定される補助表示板の少なくとも１枚が、消火器設置時には消火器の陰となる位置に設けられるようにした消火器設置装置にも関する。
【０００９】
さらに本考案は、左右の支柱間に取り付けられる補助表示板の中央部には、上方又は下方に向けて消火器背面の架け金具に係着可能な突起部が設けられている消火器設置装置にも関する。また本考案は支柱に対してそれぞれ固定可能な圧着挟持具が取り付けられた補助表示板を、圧着挟持具取り付け側を消火器に対面させた状態で、上記圧着挟持具を左右の支柱にそれぞれ圧着挟持させるようにした消火器設置装置にも関する。
【考案の効果】
【００１０】
本考案は上記したように、表示板の下方部に、上記左右一対の支柱間に架け渡し固定が可能な１枚または複数枚の補助表示板を設けてなるものであるために、消火器の点検や故障時など非日常的な作業をおこなう際に容易に確認できるように、例えば消火器の管理や連絡先などの補助的事項を１枚または複数枚の補助表示板に分けて記載できる。その結果上端の表示板自体の表示に煩雑性がなく、主に「消火器」の大文字のみが際立って表示される。
【００１１】
また補助表示板が消火器設置時には消火器の陰となる位置に設けるようにした場合においては、消火器設置時には正面側からは殆ど見えないために煩雑性がなく、専ら大きな「消火器」の文字を主体とし、せいぜいその操作方法の記載のみが目視されるところから、火災発生など非常事態の発生に伴う混乱に際しても消火器の存在が速やかに視認可能となる。
【００１２】
また左右の支柱間に取り付けられる補助表示板の中央部には、上方又は下方に向けて消火器背面の架け金具に係着可能な突起部が設けられているために、これを台座部上に設置された消火器の背面に設けられている架け金具に係着させておくことにより、地震やその他の衝撃を受けた際に消火器が簡単には転倒することがなく、安定性向上など機能性をより一層高めることができる。
【考案を実施するための最良の形態】
【００１３】
以下において本考案の具体的な内容を図１〜３の第１実施例をもとに説明すると、１は台座部、３は一対の支柱、４は表示板、７は補助表示板をあらわしている。台座部１は、その中央部に載置する消火器１０の管胴底面積より僅かに広い円形の凹部２が形成されており、しかも該台座部１の後方側の左右両端部には相互に一定の間隔を介して左右一対の支柱３ａ・３ｂが垂直に立設されている。この一対の支柱３ａ・３ｂは、下端部を台座部１の後方側の左右両端部にあらかじめ形成された挿し込み穴内に挿し込んで植立させてもよく、また台座部１に対して一体成形により立設されてもよい。
【００１４】
また表示板４は、裏面側に上記した一対の支柱３ａ・３ｂの間隔に一致させて支柱固定部４ａ・４ｂが形成されており、該支柱固定部４ａ・４ｂを一対の支柱３ａ・３ｂの上端部に差し込むことによって一対の支柱３ａ・３ｂの上端部間に架け渡される。さらに該表示板４の正面側には図１にもあらわしたように、大文字であらわした「消火器」の文字部５と、その下方部に比較的小文字にて操作方法および図面をあらわした操作説明部６とがあらわされている。
【００１５】
さらに補助表示板７は、上記した左右一対の支柱３ａ・３ｂ間に架け渡し固定が可能な帯状の平板であって、図２（Ｂ）にあらわしたように背面側７ｂには上記した左右の支柱３ａ・３ｂに対応する位置に、該支柱３ａ・３ｂに対してそれぞれ固定可能な圧着挟持具９・９が取り付けられており、これにより支柱３ａ・３ｂに対して取り付け又は取り外し自在に構成され、しかも該補助表示板７の中央部、すなわち左右の圧着挟持具９・９の中間部には、下方又は上方に向けて突出させたところの消火器背面の架け金具１１内に係着可能な突起部８が設けられている。
【００１６】
また図２（Ａ）にあらわした補助表示板７の正面側７ａには、例えば消火器のメンテナンスなど管理に関する事項や連絡先など、表示板４に表示するのが適当ではなく、しかもかかる表示の必要性が高い事項を記載するものとする。なお上記した突起部８は上方又は下方のいずれでもよく、補助表示板７の左右方向を反転して使用することにより結果的には突起部８の方向を上方又は下方に向けて使用することが可能となる。
【００１７】
さらに補助表示板７の背面側７ｂに形成した左右の圧着挟持具９・９についても、必ずしも支柱３ａ・３ｂに対して圧着挟持するものでなくともよく、支柱３ａ・３ｂに対してベルト締めあるいはネジ止めなどの手段により取り付けるようにしてもよい。
【００１８】
上記の構成において、図１にあらわしたように台座部１の後方端部より相互に一定の間隔を介して左右一対の支柱３ａ・３ｂを相互に一定の間隔を介して垂直に立設させ、その上端部には、正面側に大文字の「消火器」の文字部５と、また必要に応じてその下方部に比較的小文字にて操作方法および図面をあらわした操作説明部６を表示した表示板４を、裏面側に設けた支柱固定部４ａ・４ｂにより架け渡して取り付ける。
【００１９】
さらに該表示板４の下方部に、上記左右一対の支柱３ａ・３ｂ間に架け渡し固定して正面側７ａに、例えば消火器のメンテナンスなど管理に関する事項や連絡先など、表示板４に表示するのが適当ではなく、しかもかかる表示の必要性が高い事項を記載してなる補助表示板７を取り付ける（図１参照）。
【００２０】
上記により図１のように構成し、これに消火器１０を台座部１の円形の凹部２内に合わせて載せるとともに、補助表示板７を左右一対の支柱３ａ・３ｂに沿って上下方向にスライドさせることにより表示高さ位置を調整し、また場合によっては突起部８を消火器１０の管胴部に取り付けられている架け金具１１内に係着させて設置装置上に設置するものとする。
【００２１】
また場合によっては、消火器１０の設置された状態においては補助表示板７の殆どの部分が消火器１０の陰になる位置に取り付けることにより、補助表示板７の正面側７ａに記載されている表示事項が消火器設置装置の正面からは殆ど見えなくなり、「消火器」の文字、およびせいぜい消火器の操作説明のみあらわされた表示板４だけが見えるようにすることも可能になる。
【００２２】
さらに図４には本考案の第２実施例があらわされている。すなわち第２実施例の考案は、支柱に対してそれぞれ固定可能な圧着挟持具９・９が取り付けられた補助表示板７を、圧着挟持具９・９取り付け側を消火器１０に対面させた状態で、左右一対の支柱３ａ・３ｂの後方から上記圧着挟持具９・９を左右の支柱３ａ・３ｂにそれぞれ圧着挟持させるようにしたものである。
【００２３】
この場合には背面側７ｂに形成した左右の圧着挟持具９・９により左右一対の支柱３ａ・３ｂに圧着挟持させて取り付ける補助表示板７を、その正面側７ａと背面側７ｂとを反転させ、背面側７ｂを消火器設置装置の正面方向（設置された消火器１０に対面させる方向）に向けた状態で、左右一対の支柱３ａ・３ｂの後方から補助表示板７の背面側７ｂに設けられた左右の圧着挟持具９・９を支柱３ａ・３ｂに圧入させ、かつ突起部８を消火器１０側の架け金具１１内に係着させて設置装置上に消火器１０を設置するようにしたものである。
【００２４】
図４の第２実施例にあらわしたように構成した場合においては、消火器設置装置の台座部１上に載せられた消火器１０が、地震その他の衝撃を受けた場合において、消火器１０がの掛け金具１１内に差し込まれた突起８により、補助表示板７が正面方向に振れようとしても、消火器１０との間に介在された左右一対の支柱３ａ・３ｂによって確実に阻止されるために、設置された消火器１０の安定性が、より一層良好となる。
【００２５】
さらに図５および図６には本考案の第３実施例があらわされている。この場合においては補助表示板７を２枚用いるようにしたもので、１枚は表示板４の直下に設置するとともに、もう１枚は台座部１上に載置された消火器の背面部であって、消火器１０の架け金具１１に対応する位置に、しかも突起８を消火器１０の架け金具１１内に係合させた状態で取り付けてなるものである。
【００２６】
なお、この場合においても左右の圧着挟持具９・９により左右一対の支柱３ａ・３ｂに圧着挟持させて取り付ける補助表示板７を、その正面側７ａと背面側７ｂとを反転させ、背面側７ｂを消火器設置装置の正面方向（設置された消火器１０に対面させる方向）に向けた状態で、左右一対の支柱３ａ・３ｂの後方から補助表示板７の背面側７ｂに設けられた左右の圧着挟持具９・９を支柱３ａ・３ｂに圧入させ、かつ突起部８を消火器１０側の架け金具１１内に係着させて設置装置上に消火器１０を設置するようにすれば、消火器設置装置の台座部１上に載せられた消火器１０が、地震その他の衝撃を受けた場合においても安定性がさらに向上することは前記した第２実施例の場合と同様である。
【００２７】
なお、上記した第１〜第３実施例の何れの場合においても、消火器１０の掛け金具１１内へ係止される突起８の差込み方向については、図１のように上方から下方に向け、あるいは図３、図４または図６のように下方から上方に向けるなど、何れの方向より係止させるようにしてもよい。
【図面の簡単な説明】
【００２８】
【図１】本考案の第１実施例である消火器設置装置の正面図。
【図２】本考案において用いられる補助表示板の拡大した斜視図。
【図３】本考案の第１実施例での消火器設置装置に消火器を設置した状態の背面図。
【図４】本考案の第２実施例での消火器設置装置に消火器を設置した状態の背面図。
【図５】本考案の第３実施例での消火器設置装置に消火器を設置した状態の正面図。
【図６】本考案の第３実施例での消火器設置装置に消火器を設置した状態の背面図。
【符号の説明】
【００２９】
１        台座部
２        円形の凹部
３ａ      支柱
３ｂ      支柱
４        表示板
４ａ      支柱固定部
４ｂ      支柱固定部
５        大文字の「消火器」の文字部
６        操作説明部
７        補助表示板
８        突起
９        圧着挟持具
１０      消火器
１１      架け金具
【図１】
0003129042.tif 000003
【図２】
0003129042.tif 000004
【図３】
0003129042.tif 000005
【図４】
0003129042.tif 000006
【図５】
0003129042.tif 000007
【図６】
0003129042.tif 000008